(57)【特許請求の範囲】
【請求項１】
載置面に載置される本体部材と、前記本体部材の厚さ方向の途中部に回転自在に装着した枢支ピンと、複数のフック構成部材を回動自在に直列状に連結してなり、前記枢支ピンの端部に連結されて、前記本体部材に巻き付けた収納姿勢と、前記本体部材から下側へ垂下させた使用姿勢とに切換え可能なフック部材とを備え、
前記枢支ピンに係合部を設け、
前記本体部材の上面又は下面を覆う被覆板を設け、
前記被覆板に、前記本体部材内へ延びて前記枢支ピンの係合部に係合し、前記本体部材からの枢支ピンの脱落を規制する規制部を突出状に設けた、
ことを特徴とする吊下げ具。
【請求項２】
前記枢支ピンの途中部に小径部を形成し、前記係合部として前記枢支ピンの端部に小径部よりも大径の大径部を形成し、前記規制部として前記被覆板に前記小径部の両側に配置されて前記係合部に係合可能な１対の突起を形成した請求項１記載の吊下げ具。
【請求項３】
前記被覆板として、上面に平坦な表示面を有し、前記本体部材の上面を覆う装飾板を設けた請求項１又は２記載の吊下げ具。
【請求項４】
前記本体部材を合成樹脂材料で構成し、前記フック部材の遊端部における前記本体部材側の側面に凹部を形成し、前記本体部材の側部に弾性変形可能な片持ち状の係止片を形成し、前記係止片の端部に前記フック部材の凹部に係合して、前記フック部材を収納姿勢に保持する係止部を突出形成した請求項１〜３のいずれか１項記載の吊下げ具。
【発明の詳細な説明】
【技術分野】
【０００１】
本発明は、バッグ等をテーブル等に簡易に吊下げるための携帯用の吊下げ具に関する。
【背景技術】
【０００２】
喫茶店等において、店内が混雑していて椅子やテーブル上にバッグを置けないときに使用する簡易の吊下げ具として、テーブルの側縁部上に載置される本体部材と、前記本体部材の厚さ方向の途中部に回転自在に装着した枢支ピンと、複数のフック構成部材を回動自在に直列状に連結してなり、前記枢支ピンの端部に連結されて、前記本体部材に巻き付けた収納姿勢と、前記本体部材から下側へ垂下させた使用姿勢とに切換え可能なフック部材とを備えた吊下げ具が提案され、実用化されている（例えば、特許文献１、２参照。）。
【０００３】
この吊下げ具では、フック部材を本体部材に巻き付けた収納姿勢に保持させて、吊下げ具を小型に折り畳み、これを衣類のポケットに収納したり、バッグ等に収納したり、吊り下げたりして携帯することになる。また、吊下げ具を使用する際には、フック部材を使用姿勢に姿勢切換えした状態で、本体部材をテーブルの角部や側部の上面に載置して、本体部材から下側へ垂下するフック部材にバッグ等の持ち手を引っ掛けて、該バッグ等をテーブルに吊下げることになる。
【０００４】
ところで、特許文献１、２には明確には記載されていないが、現在実用化されている吊下げ具では、枢支ピンの脱落を防止するため、本体部材を亜鉛のダイカスト品で構成し、枢支ピンの途中部に小径部を形成して、枢支ピンの途中部の外周部に環状溝を形成し、本体部材に枢支ピンの小径部を挟んでその両側に１対の爪部を突出状に一体的に形成し、本体部材に枢支ピンを装着した後、両爪部を相互に接近する方向へカシメて、爪部を環状溝内に配置させ、枢支ピンの脱落を防止するように構成されている。また、爪部に代えて、枢支ピンの環状溝にＣリングを装着して、枢支ピンの脱落を防止するように構成した吊下げ具も実用化されている。
【先行技術文献】
【特許文献】
【０００５】
【特許文献１】特表２０１０−５００１５２号公報
【特許文献２】実用新案登録第３１５５０９５号公報
【発明の概要】
【発明が解決しようとする課題】
【０００６】
しかし、爪部をカシメて枢支ピンを抜け止めする場合には、爪部を過剰にカシメ過ぎて、枢支ピンの回転抵抗が部分的又は全体的に大きくなって、フック部材の操作性が低下するという問題があった。また、Ｃリングを環状溝に装着して、枢支ピンを抜け止めする場合には、枢支ピンの回転を円滑にして、フック部材の操作性を十分に確保できるが、吊下げ具の組立時に、例えば直径５〜６ｍｍ程度の小さなＣリングを環状溝に無理嵌めする関係上、Ｃリングの組付作業が大変煩雑になり、その分吊下げ具の組立性が低下するとともに、部品点数が増えて製作コストが高くなるという問題があった。
【０００７】
本発明の目的は、枢支ピンの回転不良を確実に防止でき、しかも製作コストを高くすることなく組立性を向上可能な吊下げ具を提供することである。
【課題を解決するための手段】
【０００８】
本発明に係る吊下げ具は、載置面に載置される本体部材と、前記本体部材の厚さ方向の途中部に回転自在に装着した枢支ピンと、複数のフック構成部材を回動自在に直列状に連結してなり、前記枢支ピンの端部に連結されて、前記本体部材に巻き付けた収納姿勢と、前記本体部材から下側へ垂下させた使用姿勢とに切換え可能なフック部材とを備え、前記枢支ピンに係合部を設け、前記本体部材の上面又は下面を覆う被覆板を設け、前記被覆板に、前記本体部材内へ延びて前記枢支ピンの係合部に係合し、前記本体部材からの枢支ピンの脱落を規制する規制部を突出状に設けたものである。
【０００９】
この吊下げ具では、フック部材を本体部材に巻き付けた収納姿勢に保持させて、吊下げ具を小型に折り畳み、これを衣類のポケットに収納したり、バッグ等に収納したり、バッグ等に吊り下げたりして携帯することができる。そして、吊下げ具を使用する際には、フック部材を使用姿勢に姿勢切換えした状態で、本体部材をテーブルや机の角部や側部の上面の載置面上に載置して、本体部材から下側へ垂下するフック部材にバッグ等の持ち手を引っ掛けて、該バッグ等をテーブルや机に吊下げることになる。また、この吊下げ具では、本体部材の上面又は下面を覆う被覆板に規制部を形成し、この規制部を枢支ピンの係合部に係合させて、本体部材からの枢支ピンの脱落を規制しているので、規制部により枢支ピンの脱落を確実に防止しつつ、枢支ピンと規制部間の隙間を適正に確保して、枢支ピンの回転不良を確実に防止できる。また、規制部を本体部材の上面又は下面を覆う被覆板に形成しているので、被覆板を摘んで、被覆板とともに規制部を組付けることが可能となり、Ｃリングなどを用いる場合と比較して、吊下げ具の組立性も良好なものとなる。しかも、被覆板は、本体部材の上面や下面を覆うために設けられる必須の部材なので、吊下げ具を構成する部品点数が増えて製作コストが高くなることもない。
【００１０】
ここで、前記枢支ピンの途中部に小径部を形成し、前記係合部として前記枢支ピンの端部に小径部よりも大径の大径部を形成し、前記規制部として前記被覆板に前記小径部の両側に配置されて前記係合部に係合可能な１対の突起を形成することが好ましい実施の形態である。この場合には、枢支ピンに対する簡単な機械加工により係合部を形成して、枢支ピンの脱落を防止することができる。
【００１１】
前記被覆板として、上面に平坦な表示面を有し、前記本体部材の上面を覆う装飾板を設けることもできる。このように構成すると、装飾板の上面の表示面に印刷を施して、吊下げ具の意匠性を高めたり、表示面を広告面として利用したりして、吊下げ具を販売促進用の商品として利用することができる。
【００１２】
前記本体部材を合成樹脂材料で構成し、前記フック部材の遊端部における前記本体部材側の側面に凹部を形成し、前記本体部材の側部に弾性変形可能な片持ち状の係止片を形成し、前記係止片の端部に前記フック部材の凹部に係合して、前記フック部材を収納姿勢に保持する係止部を突出形成することも好ましい実施の形態である。この場合には、本体部材の係止部をフック部材の凹部に係合させて、フック部材を収納姿勢に保持できるので、携帯時等における振動で、フック部材が使用位置側へ回動してしまうことを確実に防止できる。しかも、係止片は本体部材に一体成形できるので、部品点数を増やすことなく、係止片を設けることができる。
【発明の効果】
【００１３】
本発明に係る吊下げ具によれば、本体部材の上面又は下面を覆う被覆板に規制部を形成し、この規制部を枢支ピンの係合部に係合させて、本体部材からの枢支ピンの脱落を規制しているので、規制部により枢支ピンの脱落を確実に防止しつつ、枢支ピンと規制部間の隙間を適正に確保して、枢支ピンの回転不良を確実に防止できる。また、規制部を本体部材の上面又は下面を覆う被覆板に形成しているので、被覆板を摘んで、被覆板とともに規制部を組付けることが可能となり、Ｃリングなどを用いる場合と比較して、吊下げ具の組立性も良好なものとなる。しかも、被覆板は、本体部材の上面や下面を覆うために設けられる必須の部材なので、吊下げ具を構成する部品点数が増えて製作コストが高くなることもない。
【図面の簡単な説明】
【００１４】
【図１】吊下げ具の使用状態の斜視図
【図２】被覆板を取り外した状態での吊下げ具の分解斜視図
【図３】吊下げ具の要部分解斜視図
【図４】フック部材を収納した状態での吊下げ具の底面側からの斜視図
【図５】吊下げ具の使用状態での要部正面図
【図６】ゴム板を取り外した状態での吊下げ具の底面図
【図７】図４のVII-VII線断面図
【図８】図７のVIII-VIII線断面図
【発明を実施するための形態】
【００１５】
以下、本発明の実施の形態について図面を参照しながら説明する。
図１〜図８に示すように、吊下げ具１は、テーブルＴや机等の上面の載置面Ｓに載置される本体部材１０と、本体部材１０の厚さ方向の途中部に回転自在に装着した枢支ピン２０と、複数のフック構成部材３１Ｓ、３１Ｌを回動自在に直列状に連結してなり、枢支ピン２０の外端部に連結されて、本体部材１０に巻き付けた収納姿勢と、本体部材１０から下側へ垂下させた使用姿勢とに切換え可能なフック部材３０と、枢支ピン２０の本体部材１０からの脱落を規制する脱落規制手段２と、フック部材３０を収納姿勢に保持する保持手段３と、本体部材１０の上面側に取付けた装飾板からなる被覆板４０と、本体部材１０の下面側に取付けた滑り止め用のゴム板５０とを備えている。
【００１６】
本体部材１０は合成樹脂材料で構成され、本体部材１０の上部には正方形状の平板部１１が形成され、本体部材１０の下部には、円筒状の外筒部１２と、外筒部１２の内側に配置される柱状部１３と、外筒部１２と柱状部１３とを連結する連結部１４とが形成されている。ただし、本体部材１０は亜鉛等の金属材料で構成することも可能である。
【００１７】
平板部１１は、正方形以外の多角形や円形、ハート型などの任意の平面形状に形成することができる。また、平板部１１の大きさは、外筒部１２に巻き付けたフック部材３０の外径と同じか或いはそれより大きく設定され、収納姿勢において、上側からフック部材３０が見えないように構成することで、収納姿勢における吊下げ具１の意匠性を向上できるように構成されている。ただし、平板部１１は外筒部１２の外形と同じ或いはそれ以上の大きさであれば、任意の大きさに設定することができる。また、外筒部１２の外形は、円形に構成したが、正方形や長方形など、外筒部に対するフック部材の巻き付け形状に応じて任意の形状に設定できる。
【００１８】
本体部材１０の厚さ方向の途中部には外筒部１２と連結部１４と柱状部１３とを挿通する挿通孔１５が形成され、枢支ピン２０はこの挿通孔１５に回転自在に装着されている。枢支ピン２０の外端近傍部にはピン部材２１を介してフック部材３０が回動自在に連結され、枢支ピン２０の外端部にはアイ２２が形成され、このアイ２２にストラップ等を連結して、吊下げ具１をバッグ等に吊下げることができるように構成されている。枢支ピン２０及びピン部材２１は、強度剛性に優れた金属材料で構成されている。
【００１９】
フック部材３０は、短尺な３本の円弧状のフック構成部材３１Ｓと、長い１本の円弧状のフック構成部材３１Ｌと、フック構成部材３１Ｓ、３１Ｌを回動自在に直列状に連結する連結ピン３２とを備え、枢支ピン２０の外端近傍部にピン部材２１を介して回動自在に連結されている。短尺な３本のフック構成部材３１Ｓは枢支ピン２０側に直列状に連結され、長い１本の円弧状のフック構成部材３１Ｌは枢支ピン２０側とは反対側の端部に連結されている。これによりフック部材３０は、図４、図６に示すように、本体部材１０の外側に巻き付けた略円環状の収納姿勢と、図１、図２に示すように、本体部材１０から下側へ垂下させたフック状の使用姿勢とに姿勢切換え可能に構成され、使用姿勢において下端のフック構成部材３１Ｌに図示外のバッグ等の持ち手Ｈを引っ掛けて、バッグ等をテーブルＴに支持できるように構成されている。フック構成部材３１Ｓ、３１Ｌ及び連結ピン３２は、強度剛性に優れた金属材料で構成されている。なお、フック部材３０としては、本体部材１０に対して円環状に巻き付けるように構成したもの以外に、長方形状や正方向状に巻き付け可能に構成したものを採用することも可能である。
【００２０】
本体部材１０の平板部１１の外周部には枠部１１ａが上方へ突出状に形成され、枠部１１ａ内には合成樹脂材料からなる平板状の装飾板からなる被覆板４０が略隙間無く嵌めこまれ、被覆板４０は本体部材１０の平板部１１上に接着剤等で本体部材１０に固定されている。被覆板４０の上面には平坦な表示面４１が形成され、表示面４１には任意のデザインが施され、吊下げ具１を販売促進用の商品として用いる場合には、販売促進する対象商品の広告を表示面４１に印刷したり刻印したりすることができる。このように、被覆板４０の上面に表示面４１を形成しているので、被覆板４０を交換することで、吊下げ具１のデザインや販売促進する対象商品の広告内容を容易に変更することが可能となる。
【００２１】
本体部材１０の外筒部１２の下端部には環状の凹部１２ａが形成され、外筒部１２の下端部には滑り止め用の円盤状のゴム板５０が外周部を凹部１２ａに嵌合させ、下面が外筒部１２からやや下方へ突出するように設けられている。ただし、ゴム板５０の上面に補強板を設け、ゴム板５０の変形を防止するように構成することも好ましい。
【００２２】
枢支ピン２０の本体部材１０からの脱落を規制する脱落規制手段２について説明すると、図３、図６〜図８に示すように、枢支ピン２０の基端側の途中部には小径部２３が形成され、該小径部２３により枢支ピン２０の外周部に環状溝２４が形成され、枢支ピン２０の基端部には小径部２３よりも大径の係合部２５が形成されている。本体部材１０の柱状部１３の中央部には挿通孔１５と直交する細長い取付孔１６が上下方向に貫通状に形成され、柱状部１３の上部には奥端部が挿通孔１５に開口するとともにフック部材３０と枢支ピン２０との接続側の端部が取付孔１６に開口する溝部１７が形成されている。また、被覆板４０の下面中央部には取付孔１６に嵌合する規制部４２と、溝部１７に嵌合する突出部４３とが突出形成され、規制部４２には１対の規制突起４２ａが小径部と２３の直径と同じ或いはやや大きな間隔をあけて設けられている。なお、溝部１７及び突出部４３は省略することも可能である。
【００２３】
この脱落規制手段２では、本体部材１０の挿通孔１５に枢支ピン２０を装着した状態で、規制部４２を取付孔１６に嵌合させて、被覆板４０を本体部材１０に組み付けることで、規制突起４２ａが枢支ピン２０の小径部２３の両側に配置され、枢支ピン２０の係合部２５が規制突起４２ａに係合することで、枢支ピン２０の本体部材１０からの脱落が規制される。なお、枢支ピン２０は本体部材１０に対して軸方向に一定長さ移動自在に設けられ、本体部材１０から枢支ピン２０を突出させた状態で、枢支ピン２０が本体部材１０から抜け止めされるように構成され、本体部材１０をできるだけテーブルＴの中央部側に配置できるように構成されている。また、本実施の形態では、本体部材１０の上面に配置される被覆板４０に規制部４２を形成したが、ゴム板５０の上面に補強板からなる被覆板を固定して、この被覆板に本体部材１０内へ延びて枢支ピン２０の小径部２３の両側に配置される規制部を形成することも可能である。
【００２４】
フック部材３０を収納姿勢に保持する保持手段３について説明すると、図３、図５、図７に示すように、フック構成部材３１Ｌの遊端部の内周側の側面には係合凹部３３が形成され、本体部材１０の外筒部１２には収納姿勢におけるフック構成部材３１Ｌの遊端部に対応させて横向きＵ字状のスリット１８が形成され、このスリット１８の内側には素材の弾性を利用して内外に弾性変形可能な係止片１９が片持ち状に形成され、係止片１９の先端部には係合凹部３３に係合可能な係止部１９ａが外方へ突出状に形成されている。
【００２５】
この保持手段３では、フック構成部材３１Ｓ、３１Ｌを本体部材１０の外筒部１２に巻き付けて、フック部材３０を収納姿勢に切換えると、フック部材３０の係合凹部３３に本体部材１０の係止部１９ａがカチッと嵌合して、フック部材３０が収納姿勢に保持されることになる。また、フック部材３０を使用姿勢に切換えるには、フック部材３０の遊端部に指を掛けて、フック部材３０の遊端部を巻き付けが緩む方向へ操作して、係止片１９の付勢力に抗して係止部１９ａから係合凹部３３を離脱させて、使用位置側に姿勢を切換えることになる。ただし、保持手段３としては、ピンとバネとからなる周知の構成の保持手段を設けたり、本体部材１０に永久磁石を設け、フック部材３０を永久磁石で収納姿勢に吸着保持したりすることも可能である。
【００２６】
この吊下げ具１では、フック部材３０を本体部材１０に巻き付けた収納姿勢に保持させて、吊下げ具１を小型に折り畳み、これを衣類のポケットに収納したり、バッグ等に収納したりして携帯することができる。そして、吊下げ具１を使用する際には、図１に示すように、フック部材３０を使用姿勢に姿勢切換えした状態で、本体部材１０をテーブルＴの角部や側部の上面からなる載置面Ｓ上に載置して、本体部材１０から下側へ垂下するフック部材３０にバッグ等の持ち手Ｈを引っ掛けて、該バッグ等をテーブルＴに吊下げることになる。また、この吊下げ具１では、本体部材１０の上面を覆う被覆板４０に規制部４２を形成し、この規制部４２の規制突起４２ａを枢支ピン２０の小径部２３の両側に配置させて、枢支ピン２０の係合部２５が規制突起４２ａに係合することで、本体部材１０からの枢支ピン２０の脱落を確実に防止しつつ、枢支ピン２０の小径部２３と規制部４２間の隙間を適正に確保して、枢支ピン２０の回転不良を確実に防止できる。また、規制部４２を本体部材１０の上面を覆う被覆板４０に形成しているので、被覆板４０を摘んで、被覆板４０とともに規制部４２を組付けることが可能となり、Ｃリングなどを用いて枢支ピンを抜け止めする場合と比較して、規制部４２の組付性も良好なものとなる。しかも、被覆板４０は、本体部材１０の上面を覆うために設けられる必須の部材なので、吊下げ具１を構成する部品点数が増えて製作コストが高くなることもない。
【００２７】
以上、本発明の実施形態について説明したが、本発明は前述した実施形態に何ら限定されるものではなく、本発明の要旨を逸脱しない範囲においてその構成を変更し得ることは勿論である。
【符号の説明】
【００２８】
Ｔ      テーブル            Ｓ      載置面
Ｈ      持ち手
１      吊下げ具            ２      脱落規制手段
３      保持手段
１０    本体部材            １１    平板部
１１ａ  枠部                １２    外筒部
１２ａ  凹部                １３    柱状部
１４    連結部              １５    挿通孔
１６    取付孔              １７    溝部
１８    スリット            １９    係止片
１９ａ  係止部
２０    枢支ピン            ２１    ピン部材
２２    アイ                ２３    小径部
２４    環状溝              ２５    係合部
３０    フック部材          ３１Ｌ  フック構成部材
３１Ｓ  フック構成部材      ３２    連結ピン
３３    係合凹部
４０    被覆板              ４１    表示面
４２    規制部              ４２ａ  規制突起
４３    突出部
５０    ゴム板
【図１】
0005146513.tif 000002
【図２】
0005146513.tif 000003
【図３】
0005146513.tif 000004
【図４】
0005146513.tif 000005
【図５】
0005146513.tif 000006
【図６】
0005146513.tif 000007
【図７】
0005146513.tif 000008
【図８】
0005146513.tif 000009